(57)【特許請求の範囲】
【請求項１】
本体流路に常時接続される接続部と第１の接続口または第２の接続口との一方を弁体により選択可能に構成され、前記弁体は、コネクタが非装着の状態では前記第２の接続口を遮断し、かつ前記第１の接続口を連通させるように付勢手段により付勢され、また前記コネクタが装着された場合には前記接続部を前記第２の接続口に連通させ、前記第１の接続口との連通を遮断する位置に前記付勢手段に抗して移動するように構成され、前記コネクタには第２の流体を注入する供給口が設けられている流体注入機構。
【発明の詳細な説明】
【技術分野】
【０００１】
本発明は、流体管路にガスや液体などの流体を臨時的に注入するのに適した流体注入機構に関する。
【背景技術】
【０００２】
例えばサンプリング流路に接続されたガス分析測定装置を校正する場合には、サンプリング流路とガス分析測定装置との接続を遮断し、ガス分析測定装置のガス流入口に標準ガスを注入するという作業が行われていた。
この作業は、ガス分析測定装置とサンプリング流路とを接続するコネクタを外して、ボンベやガス袋等の標準ガス供給手段の供給口を接続し、校正作業が終了した時点で、元の管接続に戻したり、また配管の途中にハンドル操作式の三方弁を設けておき、サンプリング流路側から標準ガス側にハンドルを操作し、ボンベやガス袋等により標準ガスを供給し、また校正作業が終了した時点でハンドルを元に戻すという作業が必要となり、作業が面倒であるばかりでなく、流路の切換えを忘却する虞がある。
【発明の開示】
【発明が解決しようとする課題】
【０００３】
本発明はこのような問題に鑑みてなされたものであって、その目的とするところは、本体流路を遮断して臨時的に第２の流体を供給可能とし、注入後には本体流路に自動的に復帰させることができる流体注入機構を提供することである。
【課題を解決するための手段】
【０００４】
このような問題を解消するために本発明においては、本体流路に常時接続される接続部と第１の接続口または第２の接続口との一方を弁体により選択可能に構成され、前記弁体は、コネクタが非装着の状態では前記第２の接続口を遮断し、かつ前記第１の接続口を連通させるように付勢手段により付勢され、また前記コネクタが装着された場合には前記接続部を前記第２の接続口に連通させ、前記第１の接続口との連通を遮断する位置に前記付勢手段に抗して移動するように構成され、前記コネクタには第２の流体を注入する供給口が設けられている。
【発明の効果】
【０００５】
コネクタが装着されていない状態では、第１の接続口を介して本来の流路を形成し、またコネクタが装着された状態では、弁体の移動により本来の流路を遮断して第２の接続口に切り替える。
これにより、コネクタの装着という簡単な操作により本体流路を遮断して、臨時的に他の流体を注入でき、またコネクタを取り外すことにより元の流路を形成でき、流路の切り替えの忘却ミスを防止できる。
【発明を実施するための最良の形態】
【０００６】
そこで以下に本発明の詳細を図示した実施例に基づいて説明する。
図１(イ)、(ロ)は、それぞれ本発明の流体注入機構の一実施例を示すものであって、流体供給口に取り付け可能な接続部４と、第１の接続口２とのそれぞれの開口部４ａ、２ａは、後述する弁体５の移動により連通されたり、また遮断されるよう必要な距離だけずらせて位置されている。
【０００７】
弁体５は、その先端５ａにシール部材６が装着され、コイルバネなどの付勢手段７により、開口部４ａ、２ａを常時連通させるように図中左方向に付勢され、かつ移動可能に収容されている。
弁体５の後端５ｂに対向する位置に第２の接続口３をなす開口部３ａが形成され、その近傍に後述するコネクタ１０を係止する環状の凹部８が形成されている。なお図中符号９は、付勢手段７の押さえ部と弁体５の位置決め部を兼ねた凸部で、開口部３ａと弁体５のシール部材６の手前側を連通させるための隙間を確保できるよう放射状に形成されている。
【０００８】
図２(イ)は、上述のコネクタ１０の一実施例を示すものであって、プラグ１の後端に挿入可能な凹部１１には、弁体５の後端５ｂに当接して弁体５を付勢手段７に抗して弁体５を、開口部４ａと開口部２ａとを連通する位置(図１(イ))を遮断する位置(図１(ロ))に移動させる凸部１２が形成され、また凹部１１には第２の流体供給手段に接続するための供給口１３が連通されている。
なお、図中符号１４は、常時は図示しない付勢手段により突出した状態を維持し、また釦１５の押圧により後退する爪を、さらに符号１６はシール部材を示す。
【０００９】
本体の接続部４を流体供給口に結合し、第１の接続口２に本来の流路を接続すると、この状態では弁体５が付勢手段７により付勢されて図１(イ)に示すように左方に移動しているため、被検ガスは図中矢印Ａで示す流路を経て流れ込む。
【００１０】
一方、他の流体を臨時的に供給する場合には、コネクタ１０をプラグ１の第２の接続口３に装着すると、図１(ロ)に示したように爪１４が凹部８に係止され、同時に凸部１２が弁体５を付勢手段７に抗して接続部４の開口部４ａを越え、かつ第１の接続口２の開口部２ａの手前までに押し込む。
【００１１】
これにより接続部４と第１の接続口２とが弁体５により遮断される一方、接続部４が第２の接続口３に連通され、図中矢印Ｂで示す流路が形成される。この状態で供給口１３からボンベやガス袋、そのた流体供給手段を用いて流体を供給すると、第２の接続口３を経由して流れ込む。
【００１２】
臨時的な注入が終了した段階で釦１５を押すと爪１４が後退し、コネクタ１０をプラグ１から取り外すことができる。これにより、弁体５がコネクタ１０の凸部１２の支持を失って付勢手段７の付勢力により図１(イ)の状態に復帰し、図中矢印Ａの流路を形成し、第１の接続口２の流体が流れ込む。
そして望ましくは、コネクタ１０を外した状態では、後述するキャップ２０を装着すると、シール部材６が磨耗等によりシール力が低下しても、開口部３ａからの流体の漏洩を、キャップ２０のシール部材２４により確実に防止することができる。
【００１３】
キャップ２０は、図２(ロ)に示したようにコネクタ１０と同様にプラグ１の後端にプラグ１で、かつ弁体５の後端５ｂに当接しない凹部２１を備え、常時は図示しない付勢手段により突出した状態を維持し、また釦２２の押圧により後退する爪２３を設けて構成されている。なお、図中符号２４はシール部材を示す。
【００１４】
本実施例ではプラグ１の側に環状の凹部８を形成し、コネクタ１０の側に爪１４及び釦１５を設けているが、プラグ１の側に爪１４、及び釦１５を設け、コネクタ１０の側に環状の凹部８を形成しても、同様の作用を奏する。また、キャップ２０とプラグ１との着脱構造についても、プラグ１の側に爪２３、及び釦２２を設け、キャップ２０の側に環状の凹部８を形成しても同様の作用を奏する。
【図面の簡単な説明】
【００１５】
【図１】図(イ)、(ロ)は、それぞれ本発明の流体注入機構の一実施例を、コネクタを外した状態とコネクタを装着した状態で示す断面図である。
【図２】図(イ)、(ロ)は、それぞれ同上コネクタ、及びキャップの一実施例を示す断面図である。
【符号の説明】
【００１６】
１  プラグ、    ２  接続口、    ３  接続口、    ４  接続部、    ５  弁体、    ６  シール部材、    ７  付勢手段、    ８  凹部、    １０  コネクタ、    １１  凹部、    １２  凸部、    １３  供給口、    １４  爪、    １５  釦、    ２０  キャップ、    ２１  凹部、    ２３  爪、    ２４  シール部材、
【図１】
0003705438.tif 000002
【図２】
0003705438.tif 000003